(57)【要約】      （修正有）【課題】解錠或いは施錠の状態が簡単に一目で分かることにより低コストでヒューマンエラーによる施錠忘れを容易に防ぐことができるクレセント錠を提供する。【解決手段】引戸Ｂ等に用いられるクレセント錠Ａであって、内側引戸Ｂ１に取り付けられる基部１と、基部１に回動自在に取り付けられた回動部２と、外側引戸Ｂ２に取り付けられて前記回動部２と係合するための受け部４とを備え、解錠時に視認可能な回動部２の表側面に設けられた回動部表色彩部Ｐ１と施錠時に視認可能な回動部２の裏側面に設けられた回動部裏色彩部と、外側引戸Ｂ２の受け部４の上方の外側引戸上色彩部Ｔ１と下方の外側引戸下色彩部Ｔ２とを有し、回動部表色彩部Ｐ１と回動部裏色彩部とが異なる色彩であり、回動部表色彩部Ｐ１と外側引戸上色彩部Ｔ１とが同じ色彩、且つ回動部裏色彩部と外側引戸下色彩部Ｔ２とが同じ色彩である。【選択図】図１
0003209541.tif 000002
【実用新案登録請求の範囲】
【請求項１】
引戸等に用いられるクレセント錠であって、内側引戸に取り付けられる基部と、基部に回動自在に取り付けられた回動部と、外側引戸に取り付けられて前記回動部と係合するための受け部とを備え、解錠時に視認可能な回動部の表側面に設けられた回動部表色彩部と施錠時に視認可能な回動部の裏側面に設けられた回動部裏色彩部と、外側引戸の受け部の上方の外側引戸上色彩部と下方の外側引戸下色彩部とを有し、回動部表色彩部と回動部裏色彩部とが異なる色彩であり、回動部表色彩部と外側引戸上色彩部とが同じ色彩、且つ回動部裏色彩部と外側引戸下色彩部とが同じ色彩であることを特徴とするクレセント錠。
【請求項２】
回動部は延出する取っ手部を有しており回動部表色彩部と回動部裏色彩部が取っ手部だけに設けられていることを特徴とする請求項１記載のクレセント錠。
【請求項３】
回動部表色彩部と回動部裏色彩部と、外側引戸上色彩部と外側引戸下色彩部とが粘着シールにより形成されていることを特徴とする請求項１記載のクレセント錠。
【請求項４】
外側引戸上色彩部と外側引戸下色彩部とが太陽電池パネルよりなり、回動部表色彩部と回動部裏色彩部とが非接触型発光シールであることを特徴とする請求項３記載のクレセント錠。
【考案の詳細な説明】
【技術分野】
【０００１】
本考案は、引戸等に用いられるクレセント錠に関し、更に詳しくは簡単に一目で解錠施錠の見分けが付き、利便性及び防犯性の向上に資するクレセント錠に関する。
【背景技術】
【０００２】
現在、引戸、ガラス戸等の引戸状の建具には、クレセント錠が広く用いられている（引用文献１）。
【０００３】
クレセント錠は、回動原理を使う施錠のため構造が比較的単純であることから、コスト的にも安く、また児童等にも容易に操作が可能であり、家屋に用いるメリットが大きい。
一方で、クレセント錠は引戸の側面に付けられ、かつデザイン上の問題から取り付ける枠体の構造物と類似した色に着彩されることが多く、一目で解錠施錠の状態を見分けることは困難であった。
【０００４】
このため、例えば家人が施錠していないクレセント錠を見て施錠しているものと勘違いし、うっかりとそのまま外出するという事態が起こり得る。
近年の空き巣等の犯罪の増加に鑑み、このようなヒューマンエラーによる施錠忘れを防ぐ機構が求められていた。
【０００５】
これに対し、クレセント錠に窓部を設け、解錠状態であれば窓部から着彩されたマーカー部が視認できるクレセント錠が開発されている（特許文献２）。
【０００６】
しかし、これは、クレセント錠に設けた窓部からマーカー部の色を表示させるものであり、クレセント錠に比して窓部のサイズが小さいことから、視認性が低かった。
【０００７】
また、額縁を開閉自在な窓サッシが取り付けられた施錠確認機能付き窓であって、窓サッシを閉塞状態に固定する施錠装置と、額縁に設けられた固定孔に収納され、施錠装置を撮影可能な撮影ユニットと、撮影ユニットで撮影した映像データを外部の画像処理装置に送信する送信ケーブルと、を備える機構が知られている（特許文献３）。
【０００８】
しかし、これは色彩部が小さいため視認性が低く、また出先から施錠の状態を確認できることに優位性があるものであり、実際に外出の際の施錠忘れに対する注意を喚起する機能としては十分でなかった。
【０００９】
加えて、クレセント錠は回動部が受け部に引っ掛かることにより、引戸の開閉を妨げるという機構であることから、回動部が受け部に引っ掛からないまま、施錠時の位置まで回動される、いわゆる空掛けも起こりうる。
【００１０】
これを防ぐため、引戸の内側から引戸を閉めた際には自動で施錠し、外側から閉めた際には自動で施錠されず、かつ二重ロックを備えた機構が知られているが（特許文献４）、これについても、施錠状態の有無を視覚的に確認できるのは表示窓を通して見える色の表示のみであり、視認性が低かった。
【先行技術文献】
【特許文献】
【００１１】
【特許文献１】特開２００４−５２３６６号公報
【特許文献２】特開２００６−３７５２５号公報
【特許文献３】特開２０１０−１３８５６７号公報
【特許文献４】特許４５７８９４５号公報
【考案の概要】
【考案が解決しようとする課題】
【００１２】
本考案の目的は、解錠或いは施錠の状態が簡単に一目で分かることにより低コストでヒューマンエラーによる施錠忘れを容易に防ぐことができるクレセント錠を提供することにある。
【課題を解決するための手段】
【００１３】
出願人は、上記課題解決のため鋭意検討を重ねた結果、クレセント錠の回動部の表側と裏側に回動部表色彩部と回動部裏色彩部を、また内側引戸における受け部の上方及び下方に外側引戸上色彩部と外側引戸下色彩部を設けることで施錠或いは解錠の状態が一目で確認できることを見出し本考案に至った。
【００１４】
本考案は、（１）、引戸Ｂ等に用いられるクレセント錠Ａであって、内側引戸Ｂ１に取り付けられる基部１と、基部１に回動自在に取り付けられた回動部２と、外側引戸Ｂ２に取り付けられて前記回動部２と係合するための受け部４とを備え、解錠時に視認可能な回動部２の表側面に設けられた回動部表色彩部Ｐ１と施錠時に視認可能な回動部２の裏側面に設けられた回動部裏色彩部Ｐ２と、外側引戸Ｂ２の受け部４の上方の外側引戸上色彩部Ｔ１と下方の外側引戸下色彩部Ｔ２とを有し、回動部表色彩部Ｐ１と回動部裏色彩部Ｐ２とが異なる色彩であり、回動部表色彩部Ｐ１と外側引戸上色彩部Ｔ１とが同じ色彩、且つ回動部裏色彩部Ｐ２と外側引戸下色彩部Ｔ２とが同じ色彩であるクレセント錠Ａに存する。
【００１５】
本考案は、（２）、回動部２は延出する取っ手部３を有しており回動部表色彩部Ｐ１と回動部裏色彩部Ｐ２が取っ手部３だけに設けられている上記（１）記載のクレセント錠Ａに存する。
【００１６】
本考案は、（３）、回動部表色彩部Ｐ１と回動部裏色彩部Ｐ２と、外側引戸上色彩部Ｔ１と外側引戸下色彩部Ｔ２とが粘着シールにより形成されている上記（１）記載のクレセント錠Ａに存する。
【００１７】
本考案は、（４）、外側引戸上色彩部Ｔ１と外側引戸下色彩部Ｔ２とが太陽電池パネルよりなり、回動部表色彩部Ｐ１と回動部裏色彩部Ｐ２とが非接触型発光シールである上記（３）記載のクレセント錠Ａに存する。
【考案の効果】
【００１８】
本考案は、（１）引戸Ｂ等に用いられるクレセント錠Ａであって、内側引戸Ｂ１に取り付けられる基部１と、基部１に回動自在に取り付けられた回動部２と、外側引戸Ｂ２に取り付けられて前記回動部２と係合するための受け部４とを備え、解錠時に視認可能な回動部２の表側面に設けられた回動部表色彩部Ｐ１と施錠時に視認可能な回動部２の裏側面に設けられた回動部裏色彩部Ｐ２と、外側引戸Ｂ２の受け部４の上方の外側引戸上色彩部Ｔ１と下方の外側引戸下色彩部Ｔ２とを有し、回動部表色彩部Ｐ１と回動部裏色彩部Ｐ２とが異なる色彩であり、回動部表色彩部Ｐ１と外側引戸上色彩部Ｔ１とが同じ色彩、且つ回動部裏色彩部Ｐ２と外側引戸下色彩部Ｔ２とが同じ色彩であることにより、一直線状に色彩が見えることで視認性が高まり、簡単に一目で施錠、解錠の別を確認することができる。
【００１９】
本考案は、（２）回動部２は延出する取っ手部３を有しており回動部表色彩部Ｐ１と回動部裏色彩部Ｐ２が取っ手部３だけに設けられていることにより、色彩部分が一直線状であっても色彩の欠如部分が生じるものとなる。
これを利用して、一直線状の色彩に模様的な趣向を付与することができる。
【００２０】
本考案は、（３）回動部表色彩部Ｐ１と回動部裏色彩部Ｐ２と、外側引戸上色彩部Ｔ１と外側引戸下色彩部Ｔ２とが粘着シールにより形成されることにより、各色彩部の取り付けが極めて簡単であり、各色彩部の色彩の変更、或いは劣化の際の交換も容易に行え、また各色彩部の形状等も容易に変更できる。  
【００２１】
本考案は、（４）外側引戸上色彩部Ｔ１と外側引戸下色彩部Ｔ２とが太陽電池パネルよりなり、回動部表色彩部Ｐ１と回動部裏色彩部Ｐ２とが非接触型発光シールであることにより、施錠時や解錠時にそれらの色彩部を発光させることが可能となり、色彩部がより鮮明に視認できる。
【図面の簡単な説明】
【００２２】
【図１】図１は、解錠時のクレセント錠及びクレセント錠が取り付けられた引戸の斜視図である。
【図２】図２は、解錠状態の回動部を示した正面図である。
【図３】図３は、施錠状態の回動部を示した正面図である。
【図４】図４は、外側引戸における受け部の正面図である。
【図５】図５は、解錠されている状態のクレセント錠を示す正面図である。
【図６】図６は、施錠されている状態のクレセント錠を示す正面図である。
【図７】図７は、施錠操作の手順を示した図である。
【図８】図８は、他の実施形態における解錠状態の取っ手部を示した正面図である。
【図９】図９は、他の実施形態における施錠状態の取っ手部を示した正面図である。
【図１０】図１０は、回動部表色彩部がクレセント錠自体の幅より小さい幅の回動部表色彩部を示す正面図である。
【図１１】図１１は、回動部裏色彩部がクレセント錠自体の幅より小さい幅の回動部裏色彩部を示す正面図である。
【考案を実施するための形態】
【００２３】
以下、必要に応じて図面を参照しつつ、本考案の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２４】
（第１の実施の形態）
図１は、解錠時のクレセント錠Ａ及びクレセント錠Ａが取り付けられた引戸Ｂの斜視図である。
便宜的に取っ手部３を完全に下方に引き下げていない状態を示す。
【００２５】
本考案のクレセント錠Ａは、出入り用の引戸Ｂや通し窓用の引戸Ｂ等に用いるものである。
いま、引戸Ｂにおいて、部屋の内方に位置する引戸Ｂを内側引戸Ｂ１とし、それより外方に位置する引戸Ｂをこの場合の外側引戸Ｂ２とする。
本考案のクレセント錠Ａは、内側引戸Ｂ１に取り付ける部材、詳しくは内側引戸Ｂ１の枠体に取り付ける部材と、外側引戸Ｂ２に取り付ける部材、詳しくは外側引戸Ｂ２に取り付ける部材と、を備えている。
すなわち内側引戸Ｂ１には、内側引戸Ｂ１に取り付けられた基部１と、該基部１に回動自在に取り付けられた回動部２とを備えている。
【００２６】
また回動部２は延出する取っ手部３を備えており、該取っ手部３を握って容易に操作することができる。
一方、外側引戸Ｂ２には、施錠の際、内側引戸Ｂ１の回動部２と係合する部分である受け部４を備えている。
内側引戸Ｂ１の基部１は面積の広い矩形板状に形成されており、通常、内側引戸Ｂ１の枠体に対して図示しない固定具を使って或いは溶接して取り付けられている。
【００２７】
また回動部２の根本の部分は円板形状に形成され、その周囲に沿って半円弧状の回動爪片２１が設けられている。
回動部２は、例えば基部１に設けられた図示しない支持軸によって回動自在となっている。
取っ手部３は、回動部２から延出するように長尺に形成されており、そのため握り易く回動操作が容易に行える。
【００２８】
一方、外側引戸Ｂ２の受け部４は、外側引戸Ｂ２の枠体に取り付けられる部分である面積の広い取付け部と該取付け部から起立するＵ字状の受け片４１とよりなる。
この受け片４１に前述した内側引戸Ｂ１の回動部の回動爪部２１が係止し、引戸Ｂが締まり込むことによってクレセント錠Ａの施錠が行われる。
【００２９】
ところで、本考案のクレセント錠Ａは、解錠或いは施錠の状態が簡単に一目で見分けることができることが大きな特徴である。
そのため本考案のクレセント錠Ａには、回動部２の表側と裏側に回動部表色彩部Ｐ１と回動部裏色彩部Ｐ２が、また内側引戸Ｂ１における受け部４の上方及び下方には外側引戸上色彩部Ｔ１と外側引戸下色彩部Ｔ２とが設けられている。
まず、内側引戸Ｂ１に設けられた回動部２について述べる。
【００３０】
図２は、解錠状態の回動部２を示した正面図である。
この場合は、取っ手部３が下方に垂直に下げられている状態であり、回動部２の表側面（表面）に設けられた、色彩を有する回動部表色彩部Ｐ１が見える。
この回動部表色彩部Ｐ１は、目立つ模様や色を付与して視認し易い状態となっている。
以下色彩部というのは、このような視認し易い模様や色を施してある部分をいう。
【００３１】
図３は、施錠状態の回動部２を示した正面図である。
この場合は、解錠状態、すなわち図２の状態から取っ手部３を１８０度、上方に回すことにより、回動部２は回動し、このような状態になる。
すなわち取っ手部３を上方に垂直になるように回動させた状態では回動部２の裏面が視認できることとなる。
この回動部裏色彩部Ｐ２も、目立つ模様や色を付与して視認し易い状態となっている。
尚、この場合、回動部の表側の回動部表色彩部Ｐ１は当然のこととして隠れて見えない。
本考案のクレセント錠Ａは、この図２の状態のように解錠時には回動部表色彩部Ｐ１を視認することができ、また、図３の状態のように施錠時には回動部裏色彩部Ｐ２を視認することができる。  
【００３２】
次に、外側引戸Ｂ２の受け部４について述べる。
図４は外側引戸Ｂ２における受け部４の正面図である。
外側引戸Ｂにおいて、受け部４の上方（詳しくは取付け部の上方）には、外側引戸上色彩部Ｔ１が設けられており、この上方の外側引戸上色彩部Ｔ１の色彩（例えば、「赤色」）は、回動部２の表側面の回動部表色彩部Ｐ１と同じ色彩が施されている。
また、受け部４の取り付け部の下方には、外側引戸下色彩部Ｔ２が設けられており、この下方の外側引戸下色彩部Ｔ２の色彩（例えば、「青色」）は、受け部４の裏面の回動部裏色彩部Ｐ２と同じ色彩が施されている。
【００３３】
図５は解錠されている状態のクレセント錠Ａを示す正面図である。
この時、外側引戸上色彩部Ｔ１の色彩（「赤色」）と回動部２の表側面の回動部表色彩部Ｐ１（「赤色」）とが一直線状に配置される。
クレセント錠Ａを操作する人は、外側引戸上色彩部Ｔ１と回動部表色彩部Ｐ１とが一直線で同じ色彩（ここでは「赤色」）となることで解錠状態であることを既に記憶しており、このように同じ色彩で一直線状となったことを見て解錠状態と分かる。
このように、同じ色彩が単に一直線状になるという現象を認識することで、容易に解錠されていることが分かるのである。
【００３４】
図６は、施錠されている状態のクレセント錠Ａを示す正面図である。
この時、外側引戸下色彩部Ｔ２の色彩（「青色」）と受け部の裏面の回動部裏色彩部Ｐ２（「青色」）とが一直線状に配置される。
クレセント錠Ａを操作する人は、外側引戸下色彩部Ｔ２と回動部裏色彩部Ｐ２とが一直線で同じ色彩（ここでは「青色」）となることで施錠状態であることを既に記憶しており、このように同じ色彩で一直線状となったことを見て施錠状態と分かる。
このように、同じ色彩が単に一直線状になるという現象を認識することで、簡単に施錠されていることも分かるのである。
【００３５】
（施錠操作）
図７は、施錠操作の手順を示したブロック図である。
いま、引戸Ｂが完全に閉められているが、未だ施錠されてなく取っ手部３が下方に垂直の状態になっているとする。
この場合、施錠しようとする者は、外側引戸上色彩部Ｔ１の色彩（「赤色」）と回動部２の表側面の回動部表色彩部Ｐ１（「赤色」）とが一直線状に見えていることで、まだクレセント錠Ａは解錠状態にあると認識する。
【００３６】
次に、施錠するため、取っ手部３を上方に操作し垂直の状態にすることで回動部２を回動させる。
この時、外側引戸下色彩部Ｔ２の色彩（「青色」）と回動部の裏側面の回動部裏色彩部Ｐ２（「青色」）とが一直線状に配置される。
この時点で操作する人はクレセント錠Ａの施錠が完了したと認識する。
このように、本考案のクレセント錠Ａは色彩部が、単に一直線状にあることを視認することで容易に解錠状態或いは施錠状態が分かり極めて有用である。
以上述べてきた本考案のクレセント錠Ａでは、回動部２の表側と裏側に回動部表色彩部Ｐ１と回動部裏色彩部Ｐ２、また内側引戸Ｂ１における受け部４の上方及び下方には外側引戸上色彩部Ｔ１と外側引戸下色彩部Ｔ２は、それぞれ、直接、回動部２や受け部４に色彩塗装を施すことにより形成できる。
【００３７】
（第２の実施の形態）
図８は、他の実施形態における解錠状態の取っ手部３を示した正面図である。
この実施の形態の上述した第１の実施の形態と異なるところは、回動部２の取っ手部３の表側面だけに色彩が施されているものである。
従って回動部表色彩部Ｐ１は、図のように受け部４の取っ手部３以外の部分には色彩が付与されていないので一直線状であってもその色彩部に欠如部分が生じるものとなる。
【００３８】
図９は、他の実施形態における施錠状態の取っ手部３を示した正面図である。
この実施の形態の上述した第１の実施の形態と異なるところは、回動部２の取っ手部３の裏面だけに色彩が施されているものである。
従って回動部裏色彩部Ｐ２は、図のように受け部４の取っ手部３以外の部分には色彩が付与されていないので、これも一直線状であっても色彩部に欠如部分が生じるものとなる。
これを利用して、一直線状の色彩に模様的な趣向を付与することができる。
図８及び図９のいずれにしても、一直線状であるという現象は認識できるものであり、施錠状態か解錠状態かは容易に分かる。
【００３９】
以上、本考案を実施の形態に基づいて説明したが、必ずしも、この実施の形態に限定されるものではなく、他の変形例が可能である。
例えば、受け部４のＵ字状の受け片４１は、回動部２の回動爪片２１が係止できる形状であれば採用可能であり、また回動部２の回動爪片２１においても、受け部４のＵ字状の受け片４１に係止できるものであれば、採用可能である。
【００４０】
また、例えば、各色彩部は、受け部４や回動部２に色彩が付与された粘着テープを貼り付けることによっても、形成が可能である。
これにより、各色彩部の色彩の変更、或いは劣化の際の交換も容易に行え、また各色彩部の形状等も容易に変更できる。  
例えば、図１０は、回動部表色彩部Ｐ１がクレセント錠自体の幅より小さい幅の回動部表色彩部Ｐ１を示す正面図である。
【００４１】
また図１１は、回動部裏色彩部Ｐ２がクレセント錠自体の幅より小さい幅の回動部裏色彩部Ｐ２を示す正面図である。
図１０や図１１の例に示すように、各色彩部はクレセント錠自体の幅より小さい幅の線でも視認できる限り採用可能である。
また、例えば、本考案のクレセント錠Ａをガラス窓・戸に用いる場合、外側引戸上色彩部Ｔ１や外側引戸下色彩部Ｔ２を太陽発電パネルとし、回動部表色彩部Ｐ１や回動部裏色彩部Ｐ２を非接触型の発光シールにすることで、施錠時や解錠時にそれらを発光させることが可能となる。
この場合、外側引戸Ｂ２がガラス戸であれば、太陽等の光を通過させて受けることによって、より効率が高まる。
【産業上の利用可能性】
【００４２】
本考案によれば、引戸Ｂにおいて解錠施錠の状態が簡単に一目で視認でき、ヒューマンエラーによる施錠忘れを容易に防ぐことができる。
回動部２の表側と裏側に回動部表色彩部Ｐ１と回動部裏色彩部Ｐ２、また内側引戸Ｂ１における受け部４の上方及び下方に外側引戸上色彩部Ｔ１と外側引戸下色彩部Ｔ２を設けることで、有効に施錠忘れを防ぐことができ低コストでもある。
【符号の説明】
【００４３】
Ａ・・・クレセント錠
１・・・基部
２・・・回動部
２１・・・回動爪片
３・・・取っ手部
Ｐ１・・・回動部表色彩部
Ｐ２・・・回動部裏色彩部
４・・・受け部
４１・・・受け片
Ｂ・・・引戸
Ｂ１・・・内側引戸
Ｂ２・・・外側引戸
Ｔ１・・・外側引戸上色彩部
Ｔ２・・・外側引戸下色彩部
【図１】
0003209541.tif 000003
【図２】
0003209541.tif 000004
【図３】
0003209541.tif 000005
【図４】
0003209541.tif 000006
【図５】
0003209541.tif 000007
【図６】
0003209541.tif 000008
【図７】
0003209541.tif 000009
【図８】
0003209541.tif 000010
【図９】
0003209541.tif 000011
【図１０】
0003209541.tif 000012
【図１１】
0003209541.tif 000013